Podtech/llm-jp-corpus-v4-ja_patent huggingface dataset:
【手続補正書】
【提出日】平成27年1月27日(2015.1.27)
【手続補正１】
【補正対象書類名】明細書
【補正対象項目名】０００６
【補正方法】変更
【補正の内容】
【０００６】
請求項１の砂糖黍のサンプリング機は、
下部走行体上に上部旋回体を設置し、上部旋回体の旋回フレームにブームおよびアームを含む多関節構造の作業用フロントを取付けた油圧ショベルと、
前記油圧ショベルの前記アームの代わりに前記ブームに取付けられるか、または前記アームの先端に装着するバケットの代わりに前記アームに取付けられるサンプリング用アタッチメントとからなり、
前記サンプリング用アタッチメントは、前記ブームに油圧ショベルのアーム回動用アームシリンダにより回動可能に取付けられるか、または前記アームに油圧ショベルのバケット回動用バケットシリンダにより回動可能に取付けられるガイドフレームと、
前記ガイドフレームに沿って昇降用駆動装置により昇降されるサンプル軸ケースと、
下部を前記サンプル軸ケースから下方に突出させて前記サンプル軸ケースに回転可能に嵌合されると共に、前記ガイドフレームの下端に設けた先端ブラケットに軸方向に移動可能に、かつ回転可能に嵌合されるサンプル軸と、
前記サンプル軸の下端に設けられた円筒状をなす切断刃と、
前記サンプル軸ケースに取付けられ、前記サンプル軸を回転させる回転駆動装置と、
前記サンプル軸内に軸方向に昇降可能に嵌合され、前記サンプル軸ケース内に取付けられたサンプル押出用駆動装置によって降下されることにより、前記切断刃により前記サンプル軸内に切り取り、収容されたサンプルを前記サンプル軸内から押し出すサンプル押出プレートとを備えたことを特徴とする。
【手続補正２】
【補正対象書類名】明細書
【補正対象項目名】００１５
【補正方法】変更
【補正の内容】
【００１５】
図４において、２５はサンプル軸ケース１７を昇降させる昇降用駆動装置として設けた油圧シリンダである。この油圧シリンダ２５は、そのチューブ２５ａをガイドフレーム１６の上部に設けたブラケット２６にピン２７により連結し、ピストンロッド２５ｂを、サンプル軸ケース１７の下部に設けたブラケット２８にピン２９により連結して取付ける。
【手続補正３】
【補正対象書類名】明細書
【補正対象項目名】００１６
【補正方法】変更
【補正の内容】
【００１６】
図３および図５の底面図に示すように、サンプル軸１８は下端に円筒形の切断刃３０を有する。このサンプル軸１８は、サンプル軸ケース１７の上下に設けた軸受３１ａ，３１ｂによってサンプル軸ケース１７に回転可能に嵌合される。軸受３１ａ，３１ｂの具体的構造については、図６の断面図に軸受３１ｂについて代表して示す。
【手続補正４】
【補正対象書類名】明細書
【補正対象項目名】００２０
【補正方法】変更
【補正の内容】
【００２０】
４４は先端ブラケット３８に取付けた圧縮プレートであり、この圧縮プレート４４は、サンプル採取の際に、この圧縮プレート４４を集積された砂糖黍に押し付けて圧縮するものである。図５に示すように、この圧縮プレート４４は、先端ブラケット３８より広く、矩形に構成している。この圧縮プレート４４は、円形等他の形状に構成してもよい。
【手続補正５】
【補正対象書類名】明細書
【補正対象項目名】００２３
【補正方法】変更
【補正の内容】
【００２３】
次に図９に示すように、ブームシリンダ７を収縮させ、ガイドフレーム１６を降下させて圧縮プレート４４を荷台４８内の砂糖黍(図示せず)を圧縮する。この際、ブームシリンダ７、アームシリンダ１０および旋回等の油圧ショベルの各アクチュエータを操作して、圧縮プレート４４により荷台４８内に積込まれた砂糖黍の積込み状態を整えてサンプルする準備を行う。そしてこの状態で油圧シリンダ２５を伸長させてサンプル軸ケース１７と共にサンプル軸１８を降下させながら、油圧モータ３３を駆動してサンプル軸１８を回転させる。これにより、サンプル軸１８の下端に設けた切断刃３０によって砂糖黍を柱状に切り取りながらサンプル軸１８内に順次収容する。
【手続補正６】
【補正対象書類名】特許請求の範囲
【補正対象項目名】請求項１
【補正方法】変更
【補正の内容】
【請求項１】
下部走行体上に上部旋回体を設置し、上部旋回体の旋回フレームにブームおよびアームを含む多関節構造の作業用フロントを取付けた油圧ショベルと、
前記油圧ショベルの前記アームの代わりに前記ブームに取付けられるか、または前記アームの先端に装着するバケットの代わりに前記アームに取付けられるサンプリング用アタッチメントとからなり、
前記サンプリング用アタッチメントは、前記ブームに油圧ショベルのアーム回動用アームシリンダにより回動可能に取付けられるか、または前記アームに油圧ショベルのバケット回動用バケットシリンダにより回動可能に取付けられるガイドフレームと、
前記ガイドフレームに沿って昇降用駆動装置により昇降されるサンプル軸ケースと、
下部を前記サンプル軸ケースから下方に突出させて前記サンプル軸ケースに回転可能に嵌合されると共に、前記ガイドフレームの下端に設けた先端ブラケットに軸方向に移動可能に、かつ回転可能に嵌合されるサンプル軸と、
前記サンプル軸の下端に設けられた円筒状をなす切断刃と、
前記サンプル軸ケースに取付けられ、前記サンプル軸を回転させる回転駆動装置と、
前記サンプル軸内に軸方向に昇降可能に嵌合され、前記サンプル軸ケース内に取付けられたサンプル押出用駆動装置によって降下されることにより、前記切断刃により前記サンプル軸内に切り取り、収容されたサンプルを前記サンプル軸内から押し出すサンプル押出プレートとを備えたことを特徴とする砂糖黍のサンプリング機。
【手続補正書】
【提出日】平成27年5月13日(2015.5.13)
【手続補正１】
【補正対象書類名】特許請求の範囲
【補正対象項目名】全文
【補正方法】変更
【補正の内容】
【特許請求の範囲】
【請求項１】
フラッシュメディアシステムを制御する方法において、
プロセッサ制御モードを有するフラッシュレーンコントローラを提供するステップと、
ソフトコンテキストを作成して送るステップ
を含み、
前記ソフトコンテキストは、前記フラッシュレーンコントローラを前記プロセッサ制御モードに配置し、該プロセッサ制御モードにおいて、前記フラッシュレーンコントローラは、全ての前記ソフトコンテキストを格納し、全ての未解決のコンテキストの実行を終了し、通常のハードウェア自動化をサスペンドし、その後、前記ソフトコンテキストを実行することからなる、方法。
【請求項２】
前記ソフトコンテキストは、前記フラッシュレーンコントローラにソフトコマンドを送る、請求項１に記載の方法。
【請求項３】
前記ソフトコマンドは、１つ以上の非自動コマンド、または、１つ以上のベンダー特有の診断コマンド、または、１つ以上のエラー処理コマンドを含む、請求項２に記載の方法。
【請求項４】
ソフトコンテキストを受け取ると、前記フラッシュレーンコントローラは、通常動作モードから前記プロセッサ制御モードに切り替わり、１つ以上のソフトコマンドによって指定された１つ以上のソフトフラッシュ動作を実行し、前記通常動作モードに戻り、前記フラッシュレーンコントローラによってサポートされた１つ以上のコンテキストリストからコンテキストをフェッチし始めることからなる、請求項１に記載の方法。
【請求項５】
フラッシュレーンコントローラに接続された複数のフラッシュデバイスのそれぞれに対するコンテキストを実行するように構成されたフラッシュレーンコントローラであって、ソフトコンテキストを実行するように構成されたプロセッサ制御モードを有するフラッシュレーンコントローラと、
前記フラッシュレーンコントローラ内に配置されたナノシーケンサであって、前記フラッシュデバイスの少なくとも１つにアクセスすると共にデータパスに対してデータを移動させるために前記フラッシュレーンコントローラのハードウェアリソースを駆動するように適合されたプロセッサ制御モード動作をサポートするように構成されたナノシーケンサ
を備える装置。
【請求項６】
前記プロセッサ制御モード動作は、フラッシュバス動作のための一組のナノ命令に応じて実行され、
前記ナノ命令は、
所定数のクロックサイクルの間待機し、
レディ／ビジーラインが、関連付けられたフィールドにおいて定義されたある状態に進むまで待機し、
状態レジスタをポーリングする一方で所定の状態を待ち、
データフローマネージャバッファが特定の状態に到達するまで待機し、
状態ポーリングの連続的な試行間のクロックサイクルの数を設定し、
データ転送のためのバイトのデフォルト数を設定し、
フラッシュトランザクションのための４０ビットのフラッシュアドレスの３つの最上位ビットを設定し、
フラッシュトランザクションのための４０ビットのフラッシュアドレスの２つの最下位バイトを設定し、
状態ポーリングコマンドのフォーマットを設定し、
最後に取得した状態レジスタの内容を用いて、動作のパス／フェイル状態を取得し、
データフローマネージャの２つのローカルバッファのうちの１つを用いて、プログラムトランザクションのためのデータプリフェッチ動作を開始し、
次の読み取り転送の対象となるローカルデータバッファを設定し、及び、バッファ転送にＤＭＡコンテキストポインタを関連付け、
与えられた動作のために前記ＤＭＡコンテキストポインタを解放し、
プロセッサに対する割り込みをアサートし、及び、前記割り込みをファームウェアによって一意に識別することができるように割り込みレジスタに引数を配置し、
プロセッサ制御モードにおける次のソフトコンテキストポインタをフェッチし、
前記プロセッサ制御モードから出る
ようにするための命令を含む、請求項５に記載の装置。
【請求項７】
前記装置は、フラッシュメディアコントローラか、または集積回路である、請求項５または６に記載の装置。
【請求項８】
前記フラッシュメディアコントローラは、前記フラッシュレーンコントローラの複数のインスタンスを備える、請求項７に記載の装置。
【請求項９】
前記装置は、複数のフラッシュレーンに配置された複数のフラッシュデバイスを備えるソリッドステート記憶デバイスの一部であり、前記フラッシュレーンのそれぞれは、前記フラッシュレーンコントローラの前記複数のインスタンスのそれぞれの１つによって制御される、請求項８に記載の装置。
【請求項１０】
前記プロセッサ制御モードは、前記フラッシュレーンコントローラにソフトコマンドを送るソフトコンテキストを実行することを含む、請求項７〜９のいずれかに記載の装置。
【請求項１１】
前記ソフトコマンドは、前記フラッシュメディアコントローラのハードウェアによって本来サポートされない動作を実行するように構成される、請求項１０に記載の装置。
【請求項１２】
前記プロセッサ制御モードは、前記フラッシュレーンコントローラの外部のロジックに対してトランスペアレントである、請求項５〜１１のいずれかに記載の装置。
【請求項１３】
前記ソフトコマンドは、非自動コマンドと、ベンダーに特有の診断コマンドと、エラー処理コマンドとのうちの１つ以上を含む、請求項１１に記載の装置。
【請求項１４】
前記フラッシュレーンコントローラは、ソフトコンテキストを受け取ると、通常動作モードから前記プロセッサ制御モードに切り替わり、１つ以上のソフトコマンドによって指定された１つ以上のソフトフラッシュ動作を実行し、前記ソフトコンテキストが完了すると前記通常動作モードに戻り、前記フラッシュレーンコントローラによってサポートされた１つ以上のコンテキストリストからコンテキストをフェッチし始めるように構成されることからなる、請求項１１に記載の装置。
【手続補正書】
【提出日】平成27年5月14日(2015.5.14)
【手続補正１】
【補正対象書類名】特許請求の範囲
【補正対象項目名】全文
【補正方法】変更
【補正の内容】
【特許請求の範囲】
【請求項１】
１つ以上の専用データ転送パスと、
前記１つ以上の専用データ転送パスに結合された１つ以上のフラッシュレーンコントローラと、
前記１つ以上のフラッシュレーンコントローラに結合された１つ以上のフラッシュバスコントローラ
を備えるフラッシュメディアコントローラ。
【請求項２】
前記フラッシュメディアコントローラは、フラッシュバンクを有するトランザクションを実行するために必要とされる情報を含むコンテキストを実施する、請求項１に記載のフラッシュメディアコントローラ。
【請求項３】
前記フラッシュメディアコントローラは、前記フラッシュバンクにおいてロジカルユニットごとにコンテキストの独立したリンクリストを実施する、請求項２に記載のフラッシュメディアコントローラ。
【請求項４】
前記フラッシュメディアコントローラは、複数のコンテキストリンクからコンテキストをフェッチするように構成される、請求項１に記載のフラッシュメディアコントローラ。
【請求項５】
単一のインタフェースを提供するように構成された消費コンテキストマネージャを更に備え、該インタフェースを介して、前記フラッシュメディアコントローラに関連する全てのロジカルユニットからの全ての完了状態が報告される、請求項１に記載のフラッシュメディアコントローラ。
【請求項６】
前記１つ以上のフラッシュレーンコントローラの各々は、前記フラッシュレーンコントローラに接続されたそれぞれのダイ用のフェッチされたコンテキストの現在の状態を保持するダイ管理テーブルと、前記フラッシュメディアコントローラによるコンテキストの実行を管理するように構成されたコンテキストマネージャとを備える、請求項１に記載のフラッシュメディアコントローラ。
【請求項７】
全二重動作が、前記１つ以上のフラッシュレーンコントローラのそれぞれにおいてサポートされる、請求項１に記載のフラッシュメディアコントローラ。
【請求項８】
前記フラッシュメディアコントローラは、複数のフラッシュレーンを実施し、該フラッシュレーンのそれぞれは、前記専用データ転送パスのそれぞれの１つを含む独立したレーンアーキテクチャを有する、請求項１に記載のフラッシュメディアコントローラ。
【請求項９】
少なくとも２つの専用データ転送パスと、
前記少なくとも２つの専用データ転送パスに結合された少なくとも２つのフラッシュレーンコントローラと、
前記少なくとも２つのフラッシュレーンコントローラに結合された少なくとも２つのフラッシュバスコントローラ
を備える装置。
【請求項１０】
少なくとも２つの独立したレーンとして配置された複数のフラッシュストレージデバイスを更に備える、請求項９に記載の装置。
【請求項１１】
前記装置は、チップ上のシステムを構成する、請求項１０に記載の装置。
【請求項１２】
フラッシュトランザクションの各々はコンテキストによって表わされる、請求項９に記載の装置。
【請求項１３】
前記コンテキストは、フラッシュバンクを有するトランザクションを実行するか、または、システムバッファ内の位置にデータを移動させ、もしくは、該位置からデータを移動させるために、前記装置によって必要とされる全ての情報を含むデータ構造を有することからなる、請求項１２に記載の装置。
【請求項１４】
前記データ構造は、前記装置に取り付けられたそれぞれのフラッシュユニット用のコンテキストのリンクリストを提供するように更に構成される、請求項１３に記載の装置。
【手続補正書】
【提出日】平成27年6月23日(2015.6.23)
【手続補正１】
【補正対象書類名】特許請求の範囲
【補正対象項目名】全文
【補正方法】変更
【補正の内容】
【特許請求の範囲】
【請求項１】
プロセッサを用いて、
境界識別手段により、１以上の属性の第１の集合に基づいて複数のファイルをグループ化するための複数の境界を識別して、複数の第１のグループを形成し、
前記境界識別手段により、１以上の属性の第２の集合に基づいて複数のファイルをグループ化するための複数の境界を識別して、複数の第２のグループを形成し、
クラスタ決定手段により、前記第１の集合と前記第２の集合の結合からクラスタＲの集合を取得し、
前記クラスタ決定手段により、前記クラスタＲの集合から、クラスタＳの集合を、ＲとＳとの間の正規化相互情報（ＮＭＩ）の値が最大になるように、動的計画法を用いて決定する、
方法。
【請求項２】
前記正規化相互情報の値は、
【数１】
2013025791.tif 000001
によって計算され、
ここで、
【数２】
2013025791.tif 000002
【数３】
2013025791.tif 000003
であり、かつ
Ｎはファイルの総数である、請求項１に記載の方法。
【請求項３】
前記第１の集合と前記第２の集合の１つは時間情報であり、かつ前記第１の集合と前記第２の集合の１つは空間情報である、請求項１に記載の方法。
【請求項４】
前記第１の集合と前記第２の集合の１つは色類似性である、請求項３に記載の方法。
【請求項５】
前記ファイルは写真である、請求項３に記載の方法。
【請求項６】
グループ化手段により、前記複数のファイルをイベントに基づいてグループ化することを更に含み、前記グループ化はクラスタＳの集合に基づいて行われる、請求項１に記載の方法。
【請求項７】
コンピュータに、
１以上の属性の第１の集合に基づいて複数のファイルをグループ化するための複数の境界を識別して、複数の第１のグループを形成し、
１以上の属性の第２の集合に基づいて複数のファイルをグループ化するための複数の境界を識別して、複数の第２のグループを形成し、
前記第１の集合と前記第２の集合の結合からクラスタＲの組を取得し、
前記クラスタＲの集合から、クラスタＳの集合を、ＲとＳとの間の正規化相互情報（ＮＭＩ）の値が最大になるように、動的計画法を用いて決定する、
ことを含む処理を実行させるコンピュータプログラム。
【請求項８】
前記正規化相互情報の値は、
【数１】
2013025791.tif 000004
によって計算され、
ここで、
【数２】
2013025791.tif 000005
【数３】
2013025791.tif 000006
であり、かつ
Ｎはファイルの総数である、請求項７に記載のコンピュータプログラム。
【請求項９】
前記第１の集合と前記第２の集合の１つは時間情報であり、かつ前記第１の集合と前記第２の集合の１つは空間情報である、請求項７に記載のコンピュータプログラム。
【請求項１０】
前記第１の集合と前記第２の集合は色類似性である、請求項７に記載のコンピュータプログラム。
【請求項１１】
前記ファイルは写真である、請求項９に記載のコンピュータプログラム。
【請求項１２】
前記複数のファイルをイベントに基づいてグループ化することを更に含み、前記グループ化はクラスタＳの集合に基づいて行われる、請求項７に記載のコンピュータプログラム。
【請求項１３】
プロセッサと、
前記プロセッサを用いて、１以上の属性の第１の集合に基づいて複数のファイルをグループ化するための複数の境界を識別して、複数の第１のグループを形成し、かつ１以上の属性の第２の集合に基づいて複数のファイルをグループ化するための複数の境界を識別して、複数の第２のグループを形成する境界識別手段と、
前記プロセッサを用いて、前記第１の集合と前記第２の集合の結合からクラスタＲの集合を取得し、前記クラスタＲの集合から、クラスタＳの集合を、ＲとＳとの間の正規化相互情報（ＮＭＩ）の値が最大になるように、動的計画法を用いて決定するクラスタ決定手段と、
を備えるシステム。
【請求項１４】
前記クラスタ決定手段は前記正規化相互情報の値を、
【数１】
2013025791.tif 000007
によって計算され、
ここで、
【数２】
2013025791.tif 000008
【数３】
2013025791.tif 000009
であり、かつ
Ｎはファイルの総数である、請求項１３に記載のシステム。
【請求項１５】
前記第１の集合と前記第２の集合の１つは時間情報であり、かつ前記第１の集合と前記第２の集合の１つは空間情報である、請求項１３に記載のシステム。
【請求項１６】
前記第１の集合と前記第２の集合は色類似性である、請求項１３に記載のシステム。
【請求項１７】
前記ファイルは写真である、請求項１５に記載のシステム。
【請求項１８】
前記プロセッサを用いて、前記複数のファイルをイベントに基づいてグループ化するグループ化手段を更に含み、前記グループ化はクラスタＳの集合に基づいて行われる、請求項１３に記載のシステム。
【手続補正書】
【提出日】平成27年5月14日(2015.5.14)
【手続補正１】
【補正対象書類名】特許請求の範囲
【補正対象項目名】全文
【補正方法】変更
【補正の内容】
【特許請求の範囲】
【請求項１】
フラッシュメディアコントローラ内のフラッシュメモリのページに格納されたメタデータを処理するための方法であって、
コンテキストごとに前記メタデータを定義するステップであって、該コンテキストはページごとに定義される、ステップと、
前記メタデータのサイズが定義済みの閾値と同じか該閾値よりも小さいときには、前記コンテキストの構造（以下、コンテキストの構造をコンテキスト構造という）内に完了したメタデータを格納するステップと、
前記メタデータのサイズが前記定義済みの閾値より大きいときには、前記コンテキスト内にメタデータポインタを定義するステップ
を含む方法。
【請求項２】
誤り訂正コードを用いて前記メタデータを保護するステップを更に含む、請求項１に記載の方法。
【請求項３】
前記メタデータは管理データを含む、請求項１に記載の方法。
【請求項４】
前記定義済みの閾値は、ページ当たりのバイト数を指定する、請求項１に記載の方法。
【請求項５】
フラッシュプログラムサイクルにおいて、前記コンテキスト構造からの前記メタデータは、フラッシュターゲットに格納され、読み取りサイクルにおいて、前記フラッシュターゲットから読み取られたメタデータは、前記コンテキスト構造に格納されることからなる、請求項１に記載の方法。
【請求項６】
前記メタデータポインタは、フラッシュプログラムサイクル中に外部システムメモリからメタデータを取り出すために、及び、前記コンテキストによって指定されたメタデータポインタによって指示される前記外部システムメモリ内の位置にフラッシュ読み取りコマンドからのメタデータを格納するために、アドレスポインタを提供することからなる、請求項１に記載の方法。
【請求項７】
フラッシュプログラムサイクルにおいて、フラッシュターゲットに格納されるメタデータの第１の部分は前記コンテキスト構造から得られ、フラッシュターゲットに格納される前記メタデータの第２の部分は、前記コンテキストによって指定されたメタデータポインタによって指示される外部システムメモリ内の位置から得られ、
読み取りサイクルにおいて、前記フラッシュターゲットから読み取られた前記メタデータの前記第１の部分は、前記コンテキスト構造に格納され、前記第２の部分は、前記コンテキストによって指定されたメタデータポインタによって指示される前記外部システムメモリ内の位置に格納されることからなる、請求項１に記載の方法。
【請求項８】
ページサイズがホストサイズの倍数であるときには、前記メタデータは複数のホストユーザデータセクタのそれぞれに分散される、請求項１に記載の方法。
【請求項９】
複数のフラッシュメディアデバイスを備えるフラッシュメモリであって、複数のページとして編成されるフラッシュメモリと、
前記フラッシュメモリの１以上のページにメタデータを格納するように構成されたフラッシュメディアコントローラ
を備える装置であって、
前記フラッシュメディアコントローラは、
(i)ページごとにコンテキストを定義し、及び、コンテキストごとに前記メタデータを定義し、
(ii)前記メタデータのサイズが定義済みの閾値と同じか該閾値よりも小さいときには、前記コンテキストの構造（以下、コンテキストの構造をコンテキスト構造という）内に完了したメタデータを格納し、
(iii)前記メタデータのサイズが前記定義済みの閾値より大きいときには、前記コンテキスト内にメタデータポインタを定義する
ことからなる、装置。
【請求項１０】
前記フラッシュメディアコントローラは、誤り訂正コードを用いて前記メタデータを保護する、請求項９に記載の装置。
【請求項１１】
前記メタデータは管理データを含む、請求項９に記載の装置。
【請求項１２】
メタデータのサイズが前記定義済みの閾値と同じか該閾値よりも小さい場合には、
フラッシュプログラムサイクルにおいて、前記フラッシュメディアコントローラは、フラッシュターゲットに前記コンテキスト構造からのメタデータを格納し、
読み取りサイクルにおいて、前記フラッシュメディアコントローラは、前記フラッシュターゲットから読み取られたメタデータを前記コンテキスト構造に格納する
ことからなる、請求項９に記載の装置。
【請求項１３】
前記定義済みの閾値は、ページ当たりのバイト数を指定する、請求項９に記載の装置。
【請求項１４】
前記メタデータポインタは、フラッシュプログラムサイクル中に外部システムメモリからメタデータを取り出すために、及び、前記コンテキストによって指定されたメタデータポインタによって指示される前記外部システムメモリ内の位置にフラッシュ読み取りコマンドからのメタデータを格納するために、前記フラッシュメディアコントローラによって使用されるアドレスポインタを提供する、請求項９に記載の装置。
【請求項１５】
フラッシュプログラムサイクルにおいて、フラッシュターゲットに格納されるメタデータの第１の部分は、前記コンテキスト構造から得られ、フラッシュターゲットに格納される前記メタデータの第２の部分は、前記コンテキストによって指定されたメタデータポインタによって指示される外部システムメモリ内の位置から得られ、
読み取りサイクルにおいて、前記フラッシュターゲットから読み取られたメタデータの前記第１の部分は、前記コンテキスト構造に格納され、前記第２の部分は、前記コンテキストによって指定されたメタデータポインタによって指示される前記外部システムメモリ内の位置に格納される
ことからなる、請求項９に記載の装置。
【請求項１６】
前記フラッシュメディアコントローラは、前記フラッシュメモリのページサイズがホストサイズの倍数であるときには、複数のホストユーザデータセクタのそれぞれにメタデータを分散するように更に構成される、請求項９に記載の装置。
【請求項１７】
コンテキストごとにメタデータを定義するための手段であって、該コンテキストはページごとに定義されることからなる、手段と、
前記メタデータのサイズが定義済みの閾値と同じか該閾値より小さい場合には、前記コンテキストの構造内に完了したメタデータを格納するための手段と、
前記メタデータのサイズが前記定義済みの閾値より大きい場合には、前記コンテキスト内にメタデータポインタを定義するための手段
を備えるフラッシュメモリシステム。
【手続補正書】
【提出日】平成27年4月22日(2015.4.22)
【手続補正１】
【補正対象書類名】特許請求の範囲
【補正対象項目名】全文
【補正方法】変更
【補正の内容】
【特許請求の範囲】
【請求項１】
ユーザの通信端末に格納されたアルバム単位の画像を受信して、前記画像を前記アルバムと関連付けて格納する格納部と、
前記ユーザから前記アルバムを共有する他人の目録が指定されると、前記指定された目録に挙げられた他人を対象に前記アルバムに対するアクセス権を付与して前記アルバムを公開する公開部と、
を含むことを特徴とするアルバム管理サーバ。
【請求項２】
前記アルバムに対し前記他人目録が指定されると、前記アルバムに含まれる画像が前記アルバム単位で前記通信端末から前記アルバム管理サーバに自動ロードされることを特徴とする請求項１に記載のアルバム管理サーバ。
【請求項３】
前記公開部は、
前記ユーザと前記他人を対象に前記画像を前記アルバム単位で表示するビューアモードと、
前記ユーザと前記他人を対象に前記画像を前記画像と関連する位置情報を基準とした地域単位で分類して表示するビューアモードと、
前記ユーザと前記他人を対象に前記画像を前記画像と関連する時間情報を基準とした日付単位で分類して表示するビューアモードと、
前記ユーザと前記他人を対象に前記画像を前記画像と関連する人物情報を基準とした人物単位で分類して表示するビューアモードと、
のうち少なくとも１つを提供する
ことを特徴とする請求項１に記載のアルバム管理サーバ。
【請求項４】
前記公開部は、
前記アルバムまたは前記アルバムに含まれる画像に対して前記他人に書き込み権限を付与する
ことを特徴とする請求項１に記載のアルバム管理サーバ。
【請求項５】
前記公開部は、
前記画像を前記アルバム単位で表示するビューアモードで前記アルバムに対する画像追加機能、前記アルバムに含まれる画像に対する画像編集機能、前記アルバムに対する共有対象追加機能、前記アルバムまたは前記アルバムに含まれる画像に対するインタラクション機能またはコメント入力機能のうち少なくとも１つの機能を提供する
ことを特徴とする請求項４に記載のアルバム管理サーバ。
【請求項６】
前記アルバム管理サーバは、
前記アルバムまたは前記アルバムに含まれる画像に対するリアルタイムアップデート情報を前記ユーザに提供するフィード部をさらに含む
ことを特徴とする請求項１に記載のアルバム管理サーバ。
【請求項７】
前記アップデート情報は、
前記他人が前記アルバムを閲覧する場合と、前記他人が前記アルバムを編集する場合と、前記他人が前記アルバムまたは前記アルバムに含まれる画像にインタラクション情報を入力する場合と、前記他人が前記アルバムまたは前記アルバムに含まれる画像にコメントを入力する場合と、前記ユーザが前記他人のアルバムに対する共有対象に設定される場合と、ユーザが前記共有対象に設定されたアルバムが編集される場合と、のうち少なくとも１つのフィード要素に該当する情報である
ことを特徴とする請求項６に記載のアルバム管理サーバ。
【請求項８】
前記フィード部は、
前記ユーザが前記アルバムを公開する場合と、前記ユーザが前記アルバムを編集する場合と、前記ユーザが前記アルバムまたは前記アルバムに含まれる画像にコメントを入力する場合と、のうち少なくとも１つのフィード要素が確認されると、前記他人に前記フィード要素に該当する情報を提供する
ことを特徴とする請求項６に記載のアルバム管理サーバ。
【請求項９】
前記フィード部は、
前記アルバムまたは前記アルバムに含まれる画像を表示するビューアモードで前記アップデート情報を表示する
ことを特徴とする請求項６に記載のアルバム管理サーバ。
【請求項１０】
画像をアルバム単位で管理するステップと、
ユーザが他人を対象に前記アルバムに対する共有を設定すると、前記アルバムに含まれる画像を前記アルバム単位で上位システムのサーバにアップロードするステップと、
前記サーバから前記アルバムまたは前記アルバムに含まれる画像に対して前記他人によって発生したリアルタイムアップデート情報を受信して前記アップデート情報を前記ユーザに提供するステップと、
を含む通信端末におけるアルバム管理方法。
【請求項１１】
前記画像を管理するステップは、
前記画像に対する全体目録から前記ユーザが選択した画像を前記アルバムに移動する管理モードと、前記画像と関連する位置情報を基準とした地域単位で前記アルバムを分類して前記ユーザが選択した前記地域単位の画像を前記アルバムに移動する管理モードと、前記画像と関連する時間情報を基準とした日付単位で前記画像を分類して前記ユーザが選択した前記日付単位の画像を前記アルバムに移動する管理モードと、前記画像と関連する人物情報を基準とした人物単位で前記画像を分類して前記ユーザが選択した前記人物単位の画像を前記アルバムに移動する管理モードと、のうち少なくとも１つの管理モードを提供する
ことを特徴とする請求項１０に記載の通信端末におけるアルバム管理方法。
【請求項１２】
前記画像を管理するステップは、
前記画像を前記アルバム単位で表示するビューアモードと、前記画像を前記画像と関連する位置情報を基準とした地域単位で分類して表示するビューアモードと、前記画像を前記画像と関連する時間情報を基準とした日付単位で分類して表示するビューアモードと、前記画像を前記画像と関連する人物情報を基準とした人物単位で分類して表示するビューアモードと、のうち少なくとも１つのビューアモードを提供する
ことを特徴とする請求項１０に記載の通信端末におけるアルバム管理方法。
【請求項１３】
前記アルバム管理方法は、
前記アルバムに対して前記ユーザからイメージのサイズ、色、効果、ステッカー、テキスト追加のうち少なくとも１つの編集要素が入力されて前記アルバムに含まれる画像に前記編集要素を一括反映するステップをさらに含む
ことを特徴とする請求項１０に記載の通信端末におけるアルバム管理方法。
【請求項１４】
前記アルバム管理方法は、
前記アルバムを対象としてカード作成要求がある場合、前記カードに前記アルバムに含まれる画像を一括添付するステップをさらに含む
ことを特徴とする請求項１０に記載の通信端末におけるアルバム管理方法。
【請求項１５】
前記アップデート情報を提供するステップは、
前記サーバから前記他人が前記アルバムを閲覧する場合と、前記他人が前記アルバムを編集する場合と、前記他人が前記アルバムまたは前記アルバムに含まれる画像にインタラクション情報を入力する場合と、前記他人が前記アルバムまたは前記アルバムに含まれる画像にコメントを入力する場合と、前記ユーザが前記他人のアルバムに対する共有対象に設定される場合と、前記ユーザが前記共有対象に設定されたアルバムが編集される場合と、のうち少なくとも１つのフィード要素に該当するアップデート情報が受信されると、前記アップデート情報をフィードタイプまたはプッシュタイプのうち少なくとも１つの方式で提供する
ことを特徴とする請求項１０に記載の通信端末におけるアルバム管理方法。
【請求項１６】
請求項１０乃至１５のいずれか一に記載の方法を実行するためのプログラムが記録されていることを特徴とする、コンピュータで読み取り可能な記録媒体。
【手続補正書】
【提出日】平成27年7月9日(2015.7.9)
【手続補正１】
【補正対象書類名】特許請求の範囲
【補正対象項目名】全文
【補正方法】変更
【補正の内容】
【特許請求の範囲】
【請求項１】
ディスクドライブのためのヘッドサスペンションであって、
近位端と遠位端とを有し、遠位リフトタブを含む荷重ビームを備え、荷重ビームは、スライダが固定されるジンバルを支持し、ヘッドサスペンションはさらに、
リフトタブに対して近位に位置決めされるディンプルを備え、ディンプルは、スライダのためのピッチ軸およびロール軸を付与し、ヘッドサスペンションはさらに、
荷重ビームに沿って遠位端に向かって延在する、荷重ビーム上の連続的なレールを備え、レールは、少なくともディンプルまで延在し、ヘッドサスペンションはさらに、
荷重ビームに対して固定される少なくとも１つのタブ部材を備え、少なくとも１つのタブ部材の各々は、ディンプルに対して整列する、またはディンプルの遠位に設けられ、ヘッドサスペンションはさらに、
少なくとも１つのタブおよびジンバルの一部によって規定されるジンバルリミッタを備え、ジンバルリミッタは、ディンプルに対して整列する、またはディンプルに対して遠位な位置に設けられ、スライダの底面の範囲の外側にある、ヘッドサスペンション。
【請求項２】
ディスクドライブのためのヘッドサスペンションであって、
近位端と遠位端とを有し、遠位リフトタブを含む荷重ビームを備え、荷重ビームは、スライダが固定されるジンバルを支持し、ヘッドサスペンションはさらに、
リフトタブに対して近位に位置決めされたディンプルを備え、ディンプルは、スライダのためのピッチ軸およびロール軸を付与し、ヘッドサスペンションはさらに、
荷重ビームに沿って遠位端に向かって延在する、荷重ビーム上の連続的なレールを備え
、レールは少なくともディンプルに向かって延在し、ヘッドサスペンションはさらに、
荷重ビームから横方向かつ対称に延在する１対のタブ部材を備え、タブ部材は、ディンプルと整列する、またはディンプルの遠位にあり、ヘッドサスペンションはさらに、
タブ部材とジンバルとを係合することによって形成されるジンバルリミッタを備え、ジンバルリミッタは、ディンプルと整列する、または遠位にある、ヘッドサスペンション。
【請求項３】
タブ部材は、ジンバルと係合するために曲げられる、請求項２に記載のサスペンション。
【請求項４】
ディスクドライブのためのヘッドサスペンションであって、
近位端と遠位端とを有し、遠位リフトタブを含む荷重ビームを備え、荷重ビームは、スライダに固定されるジンバルを支持し、ヘッドサスペンションはさらに、
リフトタブに対して近位に位置決めされたディンプルを備え、ディンプルは、スライダのためのピッチ軸およびロール軸を付与し、ヘッドサスペンションはさらに、
荷重ビームに沿って遠位端に向かって延在する荷重ビーム上の連続的なレールを備え、レールは少なくともディンプルまで延在し、ヘッドサスペンションはさらに、
ディンプルから遠位の荷重ビームから長手方向および遠位方向に延在するタブ部材と、
タブ部材とジンバルとの係合によって形成されるジンバルリミッタとを備える、ヘッドサスペンション。
【請求項５】
タブ部材およびジンバルの一方が曲げられる、請求項４に記載のサスペンション。
【手続補正書】
【提出日】平成27年8月13日(2015.8.13)
【手続補正１】
【補正対象書類名】特許請求の範囲
【補正対象項目名】全文
【補正方法】変更
【補正の内容】
【特許請求の範囲】
【請求項１】
均一なプリント媒体の基板上に模倣した質感を提供する方法であって、
デジタルフロントエンドへの入力データとして１次画像を受け取るステップと、
質感を表す２次元画像として３次元の質感のある基板を描写するステップと、
前記２次元画像の各画素における前記３次元の質感のある基板の寸法の程度に対応する前記２次元画像の影及び濃淡を表す輝度値を抽出するステップと、
前記入力データを用いて、前記１次画像の薄い濃度でカバーされた部分と濃い濃度でカバーされた部分とを判定するステップと、
各画素のための濃度及び輝度の情報を含みかつ認識された質感で前記１次画像を描写するためのプリント命令を生成するステップと、
前記１次画像の前記薄い濃度でカバーされた部分のために、前記輝度値に基づいて、カラートナーの選択された部分に、前記カラートナーの第１の層を塗布しかつクリアトナーの第２の層を重ねるステップと、
前記１次画像の前記濃い濃度でカバーされた部分のために、前記輝度値に基づいて、様々な異方性構造で前記カラートナーを塗布するステップと、
を含む方法。
【請求項２】
前記薄い濃度の１次画像部分と前記濃い濃度の１次画像部分とを判定する前記ステップは、
前記入力データを用いて、前記１次画像の画素毎にトナー濃度の値を判定するステップと、
前記トナー濃度の値を閾値と比較するステップと、
を含む、請求項１に記載の方法。
【請求項３】
前記質感の描写のためにプリント命令を前記入力データと結びつけるステップをさらに含む請求項１に記載の方法。
【請求項４】
前記輝度値を用いて凸部と凹部とを識別するステップをさらに含む請求項１に記載の方法。
【請求項５】
前記薄い濃度でカバーされた部分に、前記描写された１次画像の中の前記凸部と前記凹部とを描写するための前記３次元の質感のある基板の寸法の度合いに対応する様々な量で前記クリアトナーの前記第２の層を塗布するステップをさらに含む請求項４に記載の方法。
【手続補正書】
【提出日】平成27年1月29日(2015.1.29)
【手続補正１】
【補正対象書類名】特許請求の範囲
【補正対象項目名】全文
【補正方法】変更
【補正の内容】
【特許請求の範囲】
【請求項１】
一対の電極間に発光層を有し、
前記発光層は、燐光性化合物と、電子輸送性が正孔輸送性よりも優れている第１の有機化合物と、正孔輸送性が電子輸送性よりも優れている第２の有機化合物と、を含み、
前記第１の有機化合物の三重項励起状態と基底状態のエネルギー差および前記第２の有機化合物の三重項励起状態と基底状態のエネルギー差が、いずれも前記燐光性化合物の三重項励起状態と基底状態のエネルギー差より０．１５電子ボルト以上大きいことを特徴とする発光素子。
【請求項２】
一対の電極間に発光層を有し、
前記発光層は、燐光性化合物と、電子輸送性が正孔輸送性よりも優れている第１の有機化合物と、正孔輸送性が電子輸送性よりも優れている第２の有機化合物と、を含み、
前記第１の有機化合物のＬＵＭＯ（Ｌｏｗｅｓｔ  Ｕｎｏｃｃｕｐｉｅｄ  Ｍｏｌｅｃｕｌａｒ  Ｏｒｂｉｔａｌ）準位が前記燐光性化合物のＬＵＭＯ準位よりも０．１電子ボルト以上高いことを特徴とする発光素子。
【請求項３】
一対の電極間に発光層を有し、
前記発光層は、燐光性化合物と、電子輸送性が正孔輸送性よりも優れている第１の有機化合物と、正孔輸送性が電子輸送性よりも優れている第２の有機化合物と、を含み、
前記第２の有機化合物のＨＯＭＯ（Ｈｉｇｈｅｓｔ  Ｏｃｃｕｐｉｅｄ  Ｍｏｌｅｃｕｌａｒ  Ｏｒｂｉｔａｌ）準位が前記燐光性化合物のＨＯＭＯ準位よりも０．１電子ボルト以上低いことを特徴とする発光素子。
【請求項４】
請求項１乃至請求項３のいずれか一項において、
前記第１の有機化合物及び前記第２の有機化合物から、励起錯体が形成される発光素子。
【請求項５】
請求項１乃至請求項３のいずれか一項において、
前記第１の有機化合物のアニオン及び前記第２の有機化合物のカチオンから、励起錯体が形成される発光素子。
【請求項６】
請求項４または請求項５において、
前記励起錯体の励起エネルギーが前記燐光性化合物に移動して、前記燐光性化合物が燐光を発する発光素子。
【請求項７】
請求項１乃至請求項６のいずれか一項において、
前記第１の有機化合物及び前記第２の有機化合物の少なくとも一方が、蛍光性化合物である発光素子。
【請求項８】
請求項１乃至請求項７のいずれか一項において、
前記燐光性化合物が、有機金属錯体である発光素子。
【手続補正書】
【提出日】平成27年2月18日(2015.2.18)
【手続補正１】
【補正対象書類名】特許請求の範囲
【補正対象項目名】全文
【補正方法】変更
【補正の内容】
【特許請求の範囲】
【請求項１】
下記一般式（１）で表わされるペロブスカイト型金属酸化物１ｍｏｌに対して、銅をｙ×０．０５ｍｏｌ％以上ｙ×２ｍｏｌ％以下含むことを特徴とする、圧電材料。
（ＮａｘＢａ１−ｙ）（ＮｂｙＴｉ１−ｙ）Ｏ３（式中、０．８０≦ｘ≦０．９５、０．８５≦ｙ≦０．９５）          式（１）
【請求項２】
前記一般式（１）において、ｘ＜ｙであることを特徴とする、請求項１に記載の圧電材料。
【請求項３】
圧電材料と、該圧電材料に設けられた一対の電極とを少なくとも有する圧電素子であって、前記圧電材料が請求項１または２に記載の圧電材料であることを特徴とする、圧電素子。
【請求項４】
請求項３に記載の圧電素子を配した振動部を備えた液室と、前記液室と連通する吐出口を少なくとも有する、液体吐出ヘッド。
【請求項５】
請求項３に記載の圧電素子を配した振動体と、前記振動体と接触する移動体を少なくとも有する、超音波モータ。
【請求項６】
振動体に請求項３に記載の圧電素子を配した、塵埃除去装置。
【請求項７】
請求項６に記載の塵埃除去装置を備えた、光学デバイス。
【請求項８】
請求項３に記載の圧電素子を備えた圧電アクチュエータ、圧電センサまたは強誘電メモリのいずれかのデバイス。
【手続補正２】
【補正対象書類名】明細書
【補正対象項目名】発明の名称
【補正方法】変更
【補正の内容】
【発明の名称】圧電材料、圧電素子、液体吐出ヘッド、超音波モータ、塵埃除去装置およびデバイス
【手続補正書】
【提出日】平成26年12月3日(2014.12.3)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
基板の第１の領域の上方に、ソース電極及びドレイン電極を有し、
前記基板の第２の領域の上方、前記ソース電極の上方、及び、前記ドレイン電極の上方に、酸化物半導体膜を有し、
前記酸化物半導体膜の上方に、ゲート絶縁膜を有し、
前記第２の領域において、前記ゲート絶縁膜を介して、前記酸化物半導体膜と重なる領域を有するゲート電極を有し、
前記第１の領域において、前記ゲート絶縁膜を介して、前記ソース電極又は前記ドレイン電極と重なる領域を有する導電膜を有する半導体装置であって、
絶縁膜を有し、
前記絶縁膜は、凹部を有し、
前記第２の領域は、前記凹部と重なり、
前記酸化物半導体膜は、
前記凹部の側面に沿って形成された領域と、
前記凹部の底面に沿って形成された領域と、
前記ソース電極の側面に沿って形成された領域と、
前記ソース電極の上面に沿って形成された領域と、
前記ドレイン電極の側面に沿って形成された領域と、
前記ドレイン電極の上面に沿って形成された領域と、
を有することを特徴とする半導体装置。
【請求項２】
基板の第１の領域の上方に、ソース電極及びドレイン電極を有し、
前記基板の第２の領域の上方、前記ソース電極の上方、及び、前記ドレイン電極の上方に、酸化物半導体膜を有し、
前記酸化物半導体膜の上方に、ゲート絶縁膜を有し、
前記第２の領域において、前記ゲート絶縁膜を介して、前記酸化物半導体膜と重なる領域を有するゲート電極を有し、
前記基板の第３の領域において、前記ゲート絶縁膜を介して、前記ソース電極又は前記ドレイン電極と重なる領域を有する導電膜を有する半導体装置であって、
絶縁膜を有し、
前記絶縁膜は、第１の凹部と、第２の凹部と、を有し、
前記第２の領域は、前記第１の凹部と重なり、
前記酸化物半導体膜は、
前記第１の凹部の側面に沿って形成された領域と、
前記第１の凹部の底面に沿って形成された領域と、
前記ソース電極の側面に沿って形成された領域と、
前記ソース電極の上面に沿って形成された領域と、
前記ドレイン電極の側面に沿って形成された領域と、
前記ドレイン電極の上面に沿って形成された領域と、
を有し、
前記第３の領域は、前記第２の凹部と重なり、
前記ソース電極又は前記ドレイン電極は、
前記第２の凹部の側面に沿って形成された領域と、
前記第２の凹部の底面に沿って形成された領域と、
を有することを特徴とする半導体装置。
【請求項３】
請求項１において、
前記酸化物半導体膜の膜厚は、前記凹部の深さよりも小さいことを特徴とする半導体装置。
【請求項４】
請求項２において、
前記酸化物半導体膜の膜厚は、前記第１の凹部の深さよりも小さいことを特徴とする半導体装置。
【手続補正書】
【提出日】平成27年2月11日(2015.2.11)
【手続補正１】
【補正対象書類名】明細書
【補正対象項目名】発明の名称
【補正方法】変更
【補正の内容】
【発明の名称】発光層および発光素子
【手続補正２】
【補正対象書類名】特許請求の範囲
【補正対象項目名】全文
【補正方法】変更
【補正の内容】
【特許請求の範囲】
【請求項１】
Ｎ型有機材料を有する層と、
Ｐ型有機材料を有する層と、
前記Ｎ型有機材料を有する層と前記Ｐ型有機材料を有する層とに接する有機発光材料分子を有する層と、を有し、
前記有機発光材料分子を有する層は、厚さ方向の分子の数が１乃至５である発光層。
【請求項２】
Ｎ型有機材料を有する層と、
Ｐ型有機材料を有する層と、
前記Ｎ型有機材料を有する層と前記Ｐ型有機材料を有する層とに接する有機発光材料分子を有する層と、を有し、
前記有機発光材料分子を有する層は、有機発光材料分子を１０重量％乃至５０重量％有し、かつ、厚さが１ｎｍ乃至１０ｎｍの層である発光層。
【請求項３】
請求項１または請求項２において、
有機発光材料分子はイリジウムを含む有機金属錯体であることを特徴とする発光層。
【請求項４】
請求項１乃至請求項３のいずれか一に記載の発光層を有する発光素子。
【手続補正書】
【提出日】平成26年12月3日(2014.12.3)
【手続補正１】
【補正対象書類名】明細書
【補正対象項目名】発明の名称
【補正方法】変更
【補正の内容】
【発明の名称】発光装置
【手続補正２】
【補正対象書類名】特許請求の範囲
【補正対象項目名】全文
【補正方法】変更
【補正の内容】
【特許請求の範囲】
【請求項１】
絶縁表面の上方に設けられた発光素子と、分離層と、導電層と、を有し、
前記発光素子は、
前記絶縁表面の上方の第１の電極と、
前記第１の電極の上方の第２の電極と、
前記第１の電極と前記第２の電極との間に設けられた発光物質を含む有機化合物層と、
を有し、
前記分離層は、前記発光素子の発光領域の一辺に沿って設けられ、下層部と、上層部と、を有し、
前記上層部は、前記下層部よりも突き出した形状を有し、
前記導電層は、前記分離層の下方に設けられ、前記第１の電極と電気的に分離しており、
前記発光領域の前記有機化合物層と前記第２の電極とは、前記上層部の下方まで延在し、
前記上層部の下方において、前記第２の電極は前記導電層と接する領域を有し、
前記絶縁表面に垂直な方向からみた場合に、前記発光領域に面する前記上層部の輪郭は、凹凸形状を有することを特徴とする発光装置。
【請求項２】
請求項１において、
前記導電層は前記第１の電極と同じ材料で形成されることを特徴とする発光装置。
【手続補正書】
【提出日】平成27年3月3日(2015.3.3)
【手続補正１】
【補正対象書類名】特許請求の範囲
【補正対象項目名】全文
【補正方法】変更
【補正の内容】
【特許請求の範囲】
【請求項１】
パワー半導体スイッチのゲートに対するゲート信号を発生するための信号処理ユニットと、抵抗直列回路と、特定の電圧を超える前記パワー半導体スイッチのコレクタ・エミッタ電圧に応答してブレークダウンするように接続される少なくとも一つの第一の半導体素子を含む、パワー半導体スイッチを駆動するための駆動回路であって、
前記信号処理ユニットが、
第一の入力と、
前記パワー半導体スイッチのコレクタ・エミッタ電圧に対する基準電圧を入力する第二の入力と、
前記パワー半導体スイッチのゲートに接続される出力と、
を含み、
前記抵抗直列回路が、
前記パワー半導体スイッチのパワー供給端子に接続される入力と、
直列に接続される２つまたはそれ以上の抵抗と、
前記信号処理ユニットの前記第一の入力に接続される出力と、
を含み、
前記少なくとも一つの第一の半導体素子が、
a）前記抵抗直列回路の２つの抵抗の間の端子またはｂ）前記信号処理ユニットに接続される前記抵抗直列回路の前記出力のいずれかに導電性の接続線を通じて接続される出力を含み、
前記少なくとも一つの第一の半導体素子は、該少なくとも一つの第一の半導体素子の前記出力での電位が、前記パワー半導体スイッチがオン状態の場合に前記パワー半導体スイッチの前記ゲートの電位より大きいようなブレークダウン電圧を有する、
パワー半導体スイッチを駆動するための駆動回路。
【請求項２】
前記少なくとも一つの第一の半導体素子と直列に接続される少なくとも一つの第二の半導体素子を更に含む、請求項１に記載の駆動回路。
【請求項３】
前記導電性の接続線が、前記少なくとも一つの第一の半導体素子の前記出力を、前記抵抗直列回路の２つの抵抗の間の端子に接続し、
前記少なくとも一つの第二の半導体素子が、前記パワー半導体スイッチの前記パワー供給端子に接続され、
前記少なくとも一つの第一の半導体素子と前記少なくとも一つの第二の半導体素子が、
前記少なくとも一つの第一の半導体素子のブレークダウンの間に、前記少なくとも一つの第一の半導体素子の前記出力をコンスタントに保持するように接続される、
請求項２に記載の駆動回路。
【請求項４】
前記少なくとも一つの第二の半導体素子に並列に接続されたスイッチであって、前記信号処理ユニットに接続される制御端子を含む前記スイッチを更に含み、
前記信号処理ユニットが、前記パワー半導体スイッチの回路ブレーク動作の開始時に、前記スイッチを閉じる、
請求項２に記載の駆動回路。
【請求項５】
前記信号処理ユニットが、前記パワー半導体スイッチのオン状態で前記スイッチを閉じる、請求項４に記載の駆動回路。
【請求項６】
前記第二の半導体素子に並列に接続される前記スイッチの前記制御端子が、前記信号処理ユニットの前記出力に接続される、請求項４または５に記載の駆動回路。
【請求項７】
前記第二の半導体素子に並列に接続されるスイッチであって、前記信号処理ユニットに接続される制御端子を含む前記スイッチを更に含み、
前記信号処理ユニットが、前記パワー半導体スイッチの回路ブレーク動作の開始時に、前記スイッチを閉じる、
請求項２に記載の駆動回路。
【請求項８】
前記信号処理ユニットが、前記パワー半導体スイッチのオン状態で前記スイッチを閉じる、請求項７に記載の駆動回路。
【請求項９】
前記第二の半導体素子に並列に接続される前記スイッチの前記制御端子が、前記信号処理ユニットの前記出力に接続される、請求項７または８に記載の駆動回路。
【請求項１０】
前記少なくとも一つの第一の半導体素子のブレークダウン電圧が、１００ボルトより大きい、請求項１に記載の駆動回路。
【請求項１１】
一つの前記第一の半導体素子の前記出力を、前記抵抗直列回路の抵抗間の端子に接続する少なくとも一つの導電性の接続線を更に含む、請求項１に記載の駆動回路。
【請求項１２】
反応時間抵抗を含む反応時間ネットワークを更に含み、
前記抵抗直列回路の前記出力が、前記反応時間ネットワークを通じて前記信号処理ユニットの前記第一の入力に接続される、
請求項１に記載の駆動回路。
【請求項１３】
前記抵抗直列回路と前記反応時間ネットワークとの間に接続され、かつ前記反応時間ネットワークと並列に接続された少なくとも周波数依存または時間依存のインピーダンスを更に含む、請求項１２に記載の駆動回路。
【請求項１４】
前記少なくとも周波数依存または時間依存のインピーダンスのいずれかが、抵抗と容量との直列回路を含む、請求項１３に記載の駆動回路。
【請求項１５】
前記少なくとも周波数依存または時間依存のインピーダンスのいずれかが、抵抗と、前記信号処理ユニットによって制御されるスイッチとの直列回路を含む、請求項１３に記載の駆動回路。
【請求項１６】
前記少なくとも一つの第一の半導体素子が、共通の基準電位で、ブレークダウン電流をアノードに導通するように接続された、請求項１に記載の駆動回路。
【請求項１７】
前記少なくとも一つの第一の半導体素子が、ブレークダウン電流を前記前記パワー半導体スイッチのゲートに導通するように接続された、請求項１に記載の駆動回路。
【手続補正書】
【提出日】平成27年4月8日(2015.4.8)
【手続補正１】
【補正対象書類名】明細書
【補正対象項目名】００２５
【補正方法】変更
【補正の内容】
【００２５】
＜電線＞
２枚の防音シート１Ａ，１Ｂによる保護の対象となる電線束９０は、複数の電線９の束である。電線９は、長尺な導体である芯線と、その芯線の周囲を覆う絶縁体である絶縁被覆とを有する絶縁電線である。電線９の芯線は、例えば、銅又はアルミニウムを主成分とする金属の線材である。また、電線９の絶縁被覆は、例えば、ポリ塩化ビニル、ポリエチレン、フッ素樹脂又はポリエステルなどの合成樹脂からなる絶縁体である。図１に示される例では、電線９の端部にコネクタが設けられている。
【手続補正２】
【補正対象書類名】明細書
【補正対象項目名】００８７
【補正方法】変更
【補正の内容】
【００８７】
１  防音シート対（２枚の防音シート）
１Ａ，１Ｂ  防音シート
３  溶着部
４  防音シートの孔
４Ａ  ベルト通し孔
５  結束材
６  ベルト付留め具
７  支持体
７Ａ  支持体の取付孔
８  結束具
９  電線
１１  張出部
１２  一対のベルト通し孔の間の部分
６１  結束部
６２  留め部
８１  ベルト
８２  ベルト保持部
９０  電線束
６２１  フランジ部
６２２  挿入部